(57)【要約】  本発明の生体情報検出装置は、長尺状をなすと共に先端部を生体内に留置することで生体情報の検出を可能にするセンサと、該センサの先端部を前記生体内に挿入するために前記生体に穿刺される針体とを備える生体情報検出装置において、前記センサの先端部を、前記生体に穿刺された前記針体に沿って前記生体内に挿入可能であることを特徴とするものである。
2017130559.tif 000002
【特許請求の範囲】
【請求項１】
長尺状をなすと共に先端部を生体内に留置することで生体情報の検出を可能にするセンサと、該センサの先端部を前記生体内に挿入するために前記生体に穿刺される針体とを備える生体情報検出装置において、
前記センサの先端部を、前記生体に穿刺された前記針体に沿って前記生体内に挿入可能であることを特徴とする生体情報検出装置。
【請求項２】
前記センサの基端部は、前記針体の延在方向とは異なる方向に移動可能である、請求項１に記載の生体情報検出装置。
【請求項３】
前記センサの基端部は、前記生体の表面に沿う方向に移動可能である、請求項２に記載の生体情報検出装置。
【請求項４】
前記センサは、該センサの先端部に配置されると共に光を発生させる測定光発生部と、該測定光発生部からの光を前記センサの基端部まで伝達させる導光部とを備える、請求項２又は３に記載の生体情報検出装置。
【請求項５】
前記センサの基端部に固定されると共に、該センサの基端部からの光を少なくとも通過させる端部部材を備え、
前記端部部材は、前記センサの基端部から拡散する光を集光させる光調整部を備える、請求項４に記載の生体情報検出装置。
【請求項６】
前記光調整部は、前記センサの基端部から拡散する光を平行光となるように集光させる、請求項５に記載の生体情報検出装置。
【請求項７】
前記センサの基端部に固定されると共に該センサから得られた検出対象物質の濃度に応じた信号を少なくとも通過させる端部部材と、
前記生体の表面に貼着可能なベース部材と、
前記ベース部材に設けられ、前記端部部材を案内する端部部材案内路と、
前記端部部材からの前記信号を受信する受信部、及び該受信部で受信した前記信号に基づいて前記検出対象物質の濃度を検知する検知部を有するディテクタとを備え、
前記ディテクタは前記ベース部材に着脱可能である、請求項２又は３に記載の生体情報検出装置。
【請求項８】
前記ディテクタで前記端部部材を押して移動させることで、前記センサの先端部が前記針体に沿って前記生体内に挿入される、請求項７に記載の生体情報検出装置。
【請求項９】
前記ディテクタで前記端部部材を押して移動させると、該移動に伴って前記端部部材が回転する、請求項７又は８に記載の生体情報検出装置。
【請求項１０】
前記端部部材案内路は、前記端部部材を収容する円筒状の内周面を備え、
前記端部部材案内路の内周面と前記端部部材の外周面とは、前記端部部材の移動に伴って該端部部材を回転させるねじ部を介して接続されている、請求項９に記載の生体情報検出装置。
【請求項１１】
前記端部部材案内路は、前記端部部材を収容する円筒状の内周面を備え、
前記端部部材は、円筒状の外周面を備え、
前記ディテクタは、前記端部部材案内路内に挿入可能な円筒状の外周面を有する挿入筒部と、該挿入筒部と一体に回転可能な操作部とを備え、
前記端部部材案内路の内周面と前記挿入筒部の外周面とは、前記操作部の回転操作に伴って前記挿入筒部を前記端部部材案内路の奥に向けて移動させるねじ部を介して接続可能であり、
前記挿入筒部の先端面と前記端部部材の基端面とは、相互の回転を阻止する嵌合部を介して接続可能である、請求項９に記載の生体情報検出装置。
【請求項１２】
前記ベース部材には、前記センサを案内するセンサ案内路が設けられており、
前記センサ案内路は、前記針体に近づくにつれて徐々に前記生体の表面に向けて湾曲しており、
前記センサ案内路の前記針体側には、前記センサを前記センサ案内路の湾曲方向と反対の方向に湾曲させるように案内する逆湾曲案内部が設けられている、請求項７又は８に記載の生体情報検出装置。
【請求項１３】
前記ディテクタを前記ベース部材に対して移動させることで前記針体が前記生体に穿刺され、
前記ディテクタをさらに移動させることで、前記端部部材が押されて移動し、前記センサの先端部が前記針体に沿って前記生体内に挿入される、請求項８又は９に記載の生体情報検出装置。
【請求項１４】
前記針体を保持する穿刺用針保持部材と、
前記穿刺用針保持部材を前記生体の表面に向けて付勢する穿刺用付勢部材と、
前記穿刺用針保持部材と係合することで該穿刺用針保持部材が前記穿刺用付勢部材から付勢力を受けた状態を保持する穿刺用可動部とを備え、
前記穿刺用可動部は、前記ディテクタを前記ベース部材に対して移動させることで前記ディテクタに押されて、前記穿刺用針保持部材との係合が解除される、請求項１３に記載の生体情報検出装置。
【請求項１５】
前記針体を保持すると共に前記ベース部材から離脱可能な穿刺具を備え、前記ディテクタを前記ベース部材に対して移動させ、前記センサの先端部の前記生体内への挿入が完了した時に、前記穿刺具が前記ベース部材から離脱可能になる、請求項７〜１４のいずれか一項に記載の生体情報検出装置。
【請求項１６】
前記穿刺具は、前記ベース部材と係合することで該ベース部材からの前記穿刺具の離脱を防止する離脱防止用可動部をさらに備え、
前記離脱防止用可動部は、前記センサの先端部の前記生体内への挿入が完了した時に前記ディテクタに押されて、前記ベース部材との係合が解除される、請求項１５に記載の生体情報検出装置。
【請求項１７】
前記ディテクタを前記ベース部材に対して移動させ、前記センサの先端部の前記生体内への挿入が完了した時に、前記針体が前記生体から抜去される、請求項７〜１６のいずれか一項に記載の生体情報検出装置。
【請求項１８】
前記針体を保持する抜去用針保持部材と、
前記抜去用針保持部材を前記生体から抜去する方向に付勢する抜去用付勢部材と、
前記抜去用針保持部材と係合することで該抜去用針保持部材が前記抜去用付勢部材から付勢力を受けた状態を保持する抜去用可動部とを備え、
前記抜去用可動部は、前記センサの先端部の前記生体内への挿入が完了した時に前記ディテクタに押されて、前記抜去用針保持部材との係合が解除される、請求項１７に記載の生体情報検出装置。
【発明の詳細な説明】
【技術分野】
【０００１】
本発明は、生体情報の検出を可能にするセンサと、該センサの先端部を生体内に挿入するために生体に穿刺される針体とを備える生体情報検出装置に関し、特に、簡単な構成により、センサの先端部を生体内に所望の深さまで挿入できるものである。
【背景技術】
【０００２】
従来、例えば糖尿病患者の組織間液内のグルコース濃度を測定するために、センサを皮下組織に数日間留置するようにした装置が用いられている。このような、生体（例えば、糖尿病患者などの被測定者等）の検出対象物質（例えば、グルコースやｐＨ、コレステロール、たんぱく質等）の濃度を含む生体情報を検出するための生体情報検出装置としては、例えば特許文献１に記載されるようなものが知られている。【０００３】
特許文献１に記載される生体情報検出装置は、長尺状をなすと共に先端部を生体内に留置することで生体情報の検出を可能にするセンサと、該センサの先端部を生体内に挿入するために生体に穿刺される針体とを備えている。
【先行技術文献】
【特許文献】
【０００４】
【特許文献１】特許第５１６１３４１号公報
【発明の概要】
【発明が解決しようとする課題】
【０００５】
しかしながら、特許文献１に記載されるような従来の生体情報検出装置は、センサを収容した針体をセンサごと生体内に挿入する構成であるため、穿刺の際に針体内でセンサの位置がずれてしまったり、抜去の際に引き抜かれる針体に伴ってセンサも移動してしまったりすると、針体が所望の深さまで挿入されたとしても、センサを所望の深さに留置することができない。したがって、穿刺の際には針体内でのセンサの位置を固定すると共に抜去の際には生体内でのセンサの位置を固定しておくための機構を設ける必要があり、構成が複雑になるという問題があった。【０００６】
本発明は、前記の課題を解決するために開発されたもので、簡単な構成により、センサの先端部を生体内の所望の深さに留置できる生体情報検出装置を提供することを目的とする。
【課題を解決するための手段】
【０００７】
本発明の生体情報検出装置は、長尺状をなすと共に先端部を生体内に留置することで生体情報の検出を可能にするセンサと、該センサの先端部を前記生体内に挿入するために前記生体に穿刺される針体とを備える生体情報検出装置において、前記センサの先端部を、前記生体に穿刺された前記針体に沿って前記生体内に挿入可能であることを特徴とするものである。【０００８】
ここで、本発明の生体情報検出装置では、前記センサの基端部は、前記針体の延在方向とは異なる方向に移動可能であることが好ましい。【０００９】
また、本発明の生体情報検出装置では、前記センサの基端部は、前記生体の表面に沿う方向に移動可能であることが好ましい。【００１０】
また、本発明の生体情報検出装置では、前記センサは、該センサの先端部に配置されると共に光を発生させる測定光発生部と、該測定光発生部からの光を前記センサの基端部まで伝達させる導光部とを備えることが好ましい。【００１１】
また、本発明の生体情報検出装置は、前記センサの基端部に固定されると共に、該センサの基端部からの光を少なくとも通過させる端部部材を備え、前記端部部材は、前記センサの基端部から拡散する光を集光させる光調整部を備えることが好ましい。【００１２】
また、本発明の生体情報検出装置は、前記光調整部が、前記センサの基端部から拡散する光を平行光となるように集光させるものであることが好ましい。【００１３】
また、本発明の生体情報検出装置は、前記センサの基端部に固定されると共に該センサから得られた検出対象物質の濃度に応じた信号を少なくとも通過させる端部部材と、前記生体の表面に貼着可能なベース部材と、前記ベース部材に設けられ、前記端部部材を案内する端部部材案内路と、前記端部部材からの前記信号を受信する受信部、及び該受信部で受信した前記信号に基づいて前記検出対象物質の濃度を検知する検知部を有するディテクタとを備え、前記ディテクタは前記ベース部材に着脱可能であるものであることが好ましい。【００１４】
また、本発明の生体情報検出装置は、前記ディテクタで前記端部部材を押して移動させることで、前記センサの先端部が前記針体に沿って前記生体内に挿入されるものであることが好ましい。【００１５】
また、本発明の生体情報検出装置は、前記ディテクタで前記端部部材を押して移動させると、該移動に伴って前記端部部材が回転するものであることが好ましい。【００１６】
また、本発明の生体情報検出装置では、前記端部部材案内路は、前記端部部材を収容する円筒状の内周面を備え、前記端部部材案内路の内周面と前記端部部材の外周面とは、前記端部部材の移動に伴って該端部部材を回転させるねじ部を介して接続されていることが好ましい。【００１７】
また、本発明の生体情報検出装置では、前記端部部材案内路は、前記端部部材を収容する円筒状の内周面を備え、前記端部部材は、円筒状の外周面を備え、前記ディテクタは、前記端部部材案内路内に挿入可能な円筒状の外周面を有する挿入筒部と、該挿入筒部と一体に回転可能な操作部とを備え、前記端部部材案内路の内周面と前記挿入筒部の外周面とは、前記操作部の回転操作に伴って前記挿入筒部を前記端部部材案内路の奥に向けて移動させるねじ部を介して接続可能であり、前記挿入筒部の先端面と前記端部部材の基端面とは、相互の回転を阻止する嵌合部を介して接続可能であることが好ましい。【００１８】
また、本発明の生体情報検出装置は、前記ベース部材には、前記センサを案内するセンサ案内路が設けられており、前記センサ案内路は、前記針体に近づくにつれて徐々に前記生体の表面に向けて湾曲しており、前記センサ案内路の前記針体側には、前記センサを前記センサ案内路の湾曲方向と反対の方向に湾曲させるように案内する逆湾曲案内部が設けられているものであることが好ましい。【００１９】
また、本発明の生体情報検出装置は、前記ディテクタを前記ベース部材に対して移動させることで前記針体が前記生体に穿刺され、前記ディテクタをさらに移動させることで、前記端部部材が押されて移動し、前記センサの先端部が前記針体に沿って前記生体内に挿入されるものであることが好ましい。【００２０】
また、本発明の生体情報検出装置は、前記針体を保持する穿刺用針保持部材と、前記穿刺用針保持部材を前記生体の表面に向けて付勢する穿刺用付勢部材と、前記穿刺用針保持部材と係合することで該穿刺用針保持部材が前記穿刺用付勢部材から付勢力を受けた状態を保持する穿刺用可動部とを備え、前記穿刺用可動部は、前記ディテクタを前記ベース部材に対して移動させることで前記ディテクタに押されて、前記穿刺用針保持部材との係合が解除されるものであることが好ましい。【００２１】
また、本発明の生体情報検出装置は、前記針体を保持すると共に前記ベース部材から離脱可能な穿刺具を備え、前記ディテクタを前記ベース部材に対して移動させ、前記センサの先端部の前記生体内への挿入が完了した時に、前記穿刺具が前記ベース部材から離脱可能になるものであることが好ましい。【００２２】
また、本発明の生体情報検出装置では、前記穿刺具は、前記ベース部材と係合することで該ベース部材からの前記穿刺具の離脱を防止する離脱防止用可動部をさらに備え、前記離脱防止用可動部は、前記センサの先端部の前記生体内への挿入が完了した時に前記ディテクタに押されて、前記ベース部材との係合が解除されることが好ましい。【００２３】
また、本発明の生体情報検出装置は、前記ディテクタを前記ベース部材に対して移動させ、前記センサの先端部の前記生体内への挿入が完了した時に、前記針体が前記生体から抜去されるものであることが好ましい。【００２４】
さらに、本発明の生体情報検出装置は、前記針体を保持する抜去用針保持部材と、前記抜去用針保持部材を前記生体から抜去する方向に付勢する抜去用付勢部材と、前記抜去用針保持部材と係合することで該抜去用針保持部材が前記抜去用付勢部材から付勢力を受けた状態を保持する抜去用可動部とを備え、前記抜去用可動部は、前記センサの先端部の前記生体内への挿入が完了した時に前記ディテクタに押されて、前記抜去用針保持部材との係合が解除されるものであることが好ましい。
【発明の効果】
【００２５】
本発明によれば、センサを針体とは別個に生体内に挿入できるため、センサの先端部を生体内の所望の深さに留置することができる。また、本発明によれば、従来必要とされた、穿刺及び抜去の際にセンサを固定しておくための機構を設ける必要がない。【００２６】
したがって、本発明によれば、簡単な構成により、センサの先端部を生体内の所望の深さに留置できる生体情報検出装置を提供することができる。
【図面の簡単な説明】
【００２７】
【図１】本発明の第１実施形態に係る生体情報検出装置の分解斜視図である。
【図２】図１の生体情報検出装置の使用要領を説明するための右側面図及び斜視図であり、（ａ）は生体表面への貼付時の状態、（ｂ）は穿刺時の状態、（ｃ）はセンサ挿入時の状態、（ｄ）は針体抜去時の状態、（ｅ）は測定時の状態を示す。
【図３】図２（ａ）の状態における生体情報検出装置を示す右側から見た一部断面側面図である。
【図４】図２（ｂ）の状態における生体情報検出装置を示す右側から見た断面図である。
【図５】図２（ｃ）の状態における生体情報検出装置を示す右側から見た一部断面側面図である。
【図６】センサに曲げ癖がついたまま生体に挿入した場合におけるセンサの到達位置を模式的に示す右側から見た断面図である。
【図７】図１の生体情報検出装置の変形例を示す図であり、（ａ）は斜視図、（ｂ）は右側面図である。
【図８】図１の生体情報検出装置の他の変形例を示す斜視図である。
【図９】図１の生体情報検出装置の更なる他の変形例を示す右側から見た一部断面側面図である。
【図１０】図１の生体情報検出装置の更なる他の変形例を示す右側から見た一部断面側面図である。
【図１１】本発明の第２実施形態に係る生体情報検出装置を示す模式図であり、（ａ）は左側面図、（ｂ）は正面図、（ｃ）は右側面図、（ｄ）は（ｂ）のＡ−Ａ断面図である。
【図１２】（ａ）は図１１（ｂ）のＢ−Ｂ断面図、（ｂ）は図１１（ｄ）のＣ−Ｃ断面図、（ｃ）は（ｂ）のＤ−Ｄ断面図である。
【図１３】図１１の生体情報検出装置の穿刺前後の状態を図１２（ａ）に準じて示す断面図であり、（ａ）は穿刺前、（ｂ）は穿刺後の状態を示す。
【図１４】本発明の第３実施形態に係る生体情報検出装置を示す図であり、（ａ）は穿刺具の斜視図、（ｂ）はセンサ挿入前の状態を示す右側から見た一部断面側面図、（ｃ）はセンサ挿入完了時の状態を示す右側から見た一部断面側面図である。
【図１５】本発明の第４実施形態に係る生体情報検出装置を示す模式図であり、（ａ）は穿刺前の状態を示す正面図、（ｂ）は穿刺前の状態を示す右側から見た一部断面側面図である。
【図１６】図１５の生体情報検出装置を示す模式図であり、（ａ）は穿刺時の状態を示す右側から見た一部断面側面図、（ｂ）はセンサ挿入完了時の状態を示す右側から見た一部断面側面図である。
【図１７】本発明の第５実施形態に係る生体情報検出装置の分解斜視図である。
【図１８】図１７の生体情報検出装置の穿刺具の分解斜視図である。
【図１９】図１７の生体情報検出装置を穿刺前の状態で示す図であり、（ａ）は右側から見た一部断面側面図、（ｂ）は斜視図、（ｃ）は正面から見た断面図である。
【図２０】図１７の生体情報検出装置を穿刺直後の状態で示す図であり、（ａ）は右側から見た一部断面側面図、（ｂ）は（ａ）の部分拡大図である。
【図２１】図１７の生体情報検出装置を針体抜去時の状態で示す図であり、（ａ）は針体抜去直後の状態を示す右側から見た一部断面側面図、（ｂ）は針体抜去直前の状態を示す断面斜視図であり、（ｃ）は針体抜去直前の状態を示す他の断面斜視図である。
【図２２】図１７の生体情報検出装置を穿刺具離脱時の状態で示す図であり、（ａ）は右側から見た一部断面側面図、（ｂ）は斜視図である。
【発明を実施するための形態】
【００２８】
以下、図１〜図１０を参照して、本発明の第１実施形態に係る生体情報検出装置１について詳細に例示説明する。
【００２９】
なお、本明細書において、上下方向とは針体１３ａの延在方向を意味し、上方は針体１３ａの基端側（すなわち、図３における上方向）であり、下方は針体１３ａの先端側である。また、前方とはセンサ２１の生体内への挿入時にセンサ２１の基端部が移動する方向（すなわち、図３における左方向）を意味し、後方とはその反対方向を意味する。さらに、左右方向とは、前方から後方に向かって見たときの左右方向を意味する。
【００３０】
図１に示すように、本実施形態に係る生体情報検出装置１は、穿刺具１０と、ベース部材２０と、ディテクタ３０とを備えている。そして、その使用要領は、概略以下のとおりである。まず、図２（ａ）に示すように、穿刺具１０をベース部材２０に取付け、ディテクタ３０をベース部材２０にセットした状態で、生体の表面、例えば糖尿病患者等の被測定者の皮膚に貼り付ける。次いで、図２（ｂ）に示すように、穿刺具１０のボタン１２ａを押下げると針体１３ａが生体に向けて発射され、穿刺が完了する。次いで、図２（ｃ）に示すように、ディテクタ３０をベース部材２０に対して前進させると、ベース部材２０内に配置されたセンサ２１が移動して針体１３ａに沿って生体内（例えば、皮膚下数ｍｍ程度）に挿入される。次いで、図２（ｄ）に示すように、穿刺具１０をベース部材２０から取外して廃棄し、図２（ｅ）に示す状態で、センサ２１からの生体情報、例えば検出対象物質（例えば、グルコースやｐＨ、コレステロール、たんぱく質等）の濃度を所定の期間（例えば数日間）にわたって検出する。生体情報の測定終了時には、生体の表面から図２（ｅ）に示した装置を取外し、ディテクタ３０をベース部材２０から取外すことで、ベース部材２０は廃棄する一方、ディテクタ３０は未使用の穿刺具１０及びベース部材２０と共に再使用することができる。
【００３１】
なお、検出した生体情報は、例えばレシーバ（図示省略）に送信して、レシーバが備える表示部にリアルタイムで表示したり、その生体情報に基づいて、レシーバが備える投薬装置による投薬量を自動的に調整したりすることができる。また、生体情報をディテクタ３０が備える記憶装置（図示省略）に記憶しておき、測定期間終了後に投薬量と生体情報との関係を分析し、処方変更に役立ててもよい。
【００３２】
生体情報検出装置１の内部構造は、図３に示すとおりである。なお、図３は、図２（ａ）の状態における生体情報検出装置１を示す一部断面側面図である。穿刺具１０は、ベース部材２０に着脱可能なハウジング１１と、ハウジング１１の上部開口１１ａを貫通するように配置され、上部がボタン１２ａとして構成されたボタン部材１２と、ボタン部材１２の下部開口１２ｂを貫通するように配置されると共に下部が針体１３ａとして構成された針部材１３と、ボタン部材１２と針部材１３との間に配置され針部材１３を下方に付勢する付勢部材（本例ではコイルばね）１４と、針体１３ａを被覆可能なカバー１５とを備えている。
【００３３】
ハウジング１１は、ベース部材２０の嵌合凹部２０ａに嵌合可能な嵌合凸部１１ｂを形成する底壁１１ｃを備えている。底壁１１ｃには、針体１３ａを挿入可能な貫通孔が形成されている。また、底壁１１ｃの外周縁には、上端部に上部開口１１ａを形成する上面視矩形状の外周壁１１ｄが立設されている。外周壁１１ｄの前方上端部には、下方に向けて延びると共に前後方向に弾性変形可能な離脱防止用レバー１１ｅが連設されている。離脱防止用レバー１１ｅの下端部には、前方に向けて突出する係合突起１１ｆが形成されている。係合突起１１ｆは、穿刺具１０がベース部材２０に取り付けられるとベース部材２０に設けられた係合孔２０ｂと係合して、穿刺具１０がベース部材２０から離脱するのを防止する。また、離脱防止用レバー１１ｅが操作されると係合孔２０ｂとの係合が解除され、穿刺具１０の離脱が可能となる。
【００３４】
ボタン部材１２は、有頂円筒状をなすボタン１２ａを上部に備えている。ボタン１２ａの下端部には上面視矩形状をなす内周壁１２ｃが連接されている。内周壁１２ｃの下端部には、下部開口１２ｂが形成されている。内周壁１２ｃの前方側の壁部と左右側の壁部との間には、内周壁１２ｃの下端から上方に向けて延びるスリットが形成されており、これにより、内周壁１２ｃの前方側の壁部は前後方向に弾性変形可能な弾性アーム１２ｄとして機能するようになっている。弾性アーム１２ｄの後面には、針部材１３のフランジ部１３ｂを係止可能な係合突起１２ｅが形成されている。
【００３５】
また、内周壁１２ｃの前方側の壁部の前面上部には、対向する外周壁１１ｄの上部から後方に突出する係合突起１１ｄ１と係合可能な下側係合突起１２ｆ１及び上側係合突起１２ｆ２が設けられている。図３に示す穿刺前の状態では、係合突起１１ｄ１と下側係合突起１２ｆ１との係合により、針部材１３の上方への抜け出しが防止されている。また、弾性アーム１２ｄと対向する外周壁１１ｄの下部には、後方に向けて突出する突出部が設けられており、該突出部の上端面は、前方に向けて下方に傾斜する傾斜面１１ｄ２を形成している。弾性アーム１２ｄの下端部は、図３に示す穿刺前の状態では、傾斜面１１ｄ２の後方側部分の上方に位置している。
【００３６】
針部材１３は、後方が切欠かれた断面視半円弧状をなす針体１３ａを備えている。針体１３ａの先端部は尖っており、図３に示す穿刺前の状態ではベース部材２０の内部に収まっている。針体１３ａの基端部には、円柱状をなすシャフト１３ｃが連接されている。シャフト１３ｃの外周側には環状の隙間を空けて筒壁１３ｄが設けられており、シャフト１３ｃの上端部と筒壁１３ｄの上端部とは円板状の頂壁で連結している。筒壁１３ｄの外周面にはフランジ部１３ｂが形成されている。フランジ部１３ｂの上面とボタン１２ａの下面との間には、付勢部材１４が配置されている。図３に示す穿刺前の状態では、弾性アーム１２ｄの係合突起１２ｅがフランジ部１３ｂを係止することで、針体１３ａを下方に付勢する付勢部材１４の付勢力が保持されている。
【００３７】
シャフト１３ｃの外周側に形成された環状の隙間には、カバー１５が上下に摺動可能に配置されている。カバー１５は、円筒状の筒部１５ａと、該筒部１５ａの上端外周面に形成された円環状をなす係合突起１５ｂとを備えている。筒部１５ａは、ハウジング１１の底壁１１ｃに形成された貫通孔を通過できるが、係合突起１５ｂは当該貫通孔を通過できないようになっている。したがって、図１や図２（ｄ）に示したように穿刺具１０がベース部材２０から取り外された状態では、カバー１５はその自重によりハウジング１１から突出し、針体１３ａを覆い隠すようになっている。
【００３８】
図１に示すように、ベース部材２０は、生体の表面に貼付可能な底面を有する略矩形状の底板２０ｃを備えている。底板２０ｃの前端縁には、略矩形状の縦壁２０ｄが立設されている。縦壁２０ｄには、前述した穿刺具１０の離脱防止用レバー１１ｅの係合突起１１ｆと係合する係合孔２０ｂが設けられている。また、縦壁２０ｄの左右両端部には、一対の係合片２０ｅが設けられている。一対の係合片２０ｅは、それぞれ、係合突起２０ｅ１を有しており、これらの係合突起２０ｅ１は、ディテクタ３０を図２（ｃ）に示したように前進させたときにディテクタ３０の係合孔３０ａに係止されるようになっている。また、生体情報の測定終了時には、ディテクタ３０の係合片２０ｅを弾性変形させて係合突起２０ｅ１と係合孔３０ａとの係合を解除し、ディテクタ３０をベース部材２０から取り外すことができる。
【００３９】
縦壁２０ｄの係合孔２０ｂの後方には、略直方体状のベース２０ｆが設けられている。ベース２０ｆの上面における前方部分には、前述した穿刺具１０を嵌合させるための嵌合凹部２０ａが設けられている。嵌合凹部２０ａには、針体１３ａが貫通可能な上下方向に延びる直線状の貫通孔２０ｆ１が形成されている。感染防止のため、この貫通孔２０ｆ１の内部の上面側は、ゴム等により封止される構成となっている。
【００４０】
図３に示すように、ベース２０ｆの内部には、長尺状をなすセンサ２１と、該センサ２１の基端部に固定された端部部材２２とが配置されている。センサ２１は、該センサ２１の先端部に配置された測定光発生部２１ａと、該測定光発生部２１ａの基端部に接続され、センサ２１の基端部まで延びる導光部２１ｂとを備えている。導光部２１ｂは光ファイバを備えており、センサ２１の基端部から入射される励起光を測定光発生部２１ａまで伝達すると共に、この励起光によって測定光発生部２１ａで生じた測定光をセンサ２１の基端部まで伝達することができる。測定光発生部２１ａは、励起光によって蛍光する蛍光色素を含む蛍光ゲルを備えており、この蛍光ゲルは、検出対象物質の濃度に応じた蛍光（測定光）を発生する。
【００４１】
端部部材２２は、光調整部としてのコリメートレンズ２２ａを備えている。コリメートレンズ２２ａは、センサ２１の基端部から拡散する測定光を平行光となるように集光させる。また、コリメートレンズ２２ａは、その逆に、ディテクタ３０から入射される励起光を集光させてセンサ２１の基端部に伝達することができる。なお、略円柱状のコリメートレンズ２２ａの外周側には、コリメートレンズ２２ａを保持する内筒２２ｂが設けられている。内筒２２ｂは円筒状の外周面を備えている。
【００４２】
ベース２０ｆには、端部部材２２を案内する端部部材案内路２０ｆ２が設けられている。端部部材案内路２０ｆ２は円筒状の内周面を備え、前後方向に延びている。また、端部部材案内路２０ｆ２の内周面と内筒２２ｂの外周面とは、ねじ部を介して接続されている。本例では、当該ねじ部は、内筒２２ｂの外周面に形成されたねじ溝２２ｂ１と、端部部材案内路２０ｆ２の内周面に形成されたねじ山２０ｆ３とで構成され、端部部材２２の前方への移動に伴って該端部部材２２を回転させるようになっている。
【００４３】
端部部材案内路２０ｆ２の前方には、センサ２１を案内するセンサ案内路２０ｆ４が設けられている。センサ案内路２０ｆ４は、円筒状の内周面を備え、その基端部は端部部材案内路２０ｆ２の軸心に位置している。また、センサ案内路２０ｆ４は、その基端部から、針体１３ａが配置される貫通孔２０ｆ１に近づくにつれて徐々に下方に向けて湾曲し、貫通孔２０ｆ１に接続している。図３に示す穿刺前の状態では、センサ２１の先端部は貫通孔２０ｆ１内に収まっており、端部部材２２は端部部材案内路２０ｆ２の後端に配置されている。端部部材案内路２０ｆ２の後方は開放しており、この開放部からディテクタ３０の円筒状の挿入筒部３０ｂを挿入可能になっている。
【００４４】
ディテクタ３０は、挿入筒部３０ｂを通じて端部部材２２に入射される励起光を生じさせる発光部（図示省略）を備えている。また、ディテクタ３０は、端部部材２２から挿入筒部３０ｂを通じて入射される測定光を受光する受光部（図示省略）を備えている。さらに、ディテクタ３０は、受光部で受光した測定光に基づいて検出対象物質の濃度を検知する検知部（図示省略）を備えている。
【００４５】
生体情報検出装置１を、図２（ａ）に示した穿刺前の状態から、図２（ｃ）に示したセンサ２１挿入後の状態にするまでの要領は以下のとおりである。まず、図４に示すように、ボタン１２ａを押し下げると、弾性アーム１２ｄの下端部がハウジング１１の傾斜面１１ｄ２に当接して滑り、弾性アーム１２ｄが前方に弾性変形する。これにより、弾性アーム１２ｄと針部材１３との係合が解除され、付勢部材１４の付勢力により針体１３ａが生体に向けて発射される。
【００４６】
このように針体１３ａの先端部が生体に穿刺された状態で、図５に示すようにディテクタ３０を前進させると、ディテクタ３０の挿入筒部３０ｂが端部部材案内路２０ｆ２に挿入される。このとき、挿入筒部３０ｂの前端面で端部部材２２の後端面が押されるため、端部部材２２はねじ部（ねじ溝２２ｂ１、ねじ山２０ｆ３）によって回転しながら前進する。また、センサ２１は端部部材２２に固定されているため、センサ２１もまた回転しながら移動し、その先端部が針体１３ａの内面に案内されて生体内へと挿入される。
【００４７】
ここに、センサ２１を回転させつつ生体内へ挿入させる理由は次のとおりである。測定時の装置の生体の表面からの高さを低減するために、センサ案内路２０ｆ４の曲率半径を小さくした場合には、センサ２１に曲げ癖がつき易くなることが懸念される。センサ２１を曲げ癖がついたまま生体に挿入した場合には、図６に実線で示す様にセンサ２１が真っすぐ挿入されず、センサ２１の先端部が所望の深さまで到達しないおそれがある。このため、本例では、センサ２１を回転させながら生体に挿入することで、たとえ曲げ癖がついたとしてもその曲げ癖による影響を全周に分散させ、センサ２１の先端部をより直線状に挿入できるようにしている。
【００４８】
このように、センサ２１を回転させるためのねじ部としては、変形例として図７に示すような構成をとることもできる。すなわち、本変形例では、端部部材案内路２０ｆ２’は、端部部材２２’のねじ溝２２ｂ１’と係合可能な複数の突起２０ｆ３’を備えている。このような構成とすることで、ねじ部の摺動抵抗を低減し、端部部材２２’のよりスムーズな移動及び回転を可能にすることができる。また、他の変形例として、図８に示すような構成をとることもできる。本変形例では、端部部材案内路２０ｆ２”がねじ溝２０ｆ５”を備え、端部部材２２”がねじ山２２ｂ２”を備えている。なお、ねじ部のねじ山２０ｆ３，２２ｂ２”、突起２０ｆ３’乃至ねじ溝２２ｂ１，２２ｂ１’，２０ｆ５”の軸方向に対する傾斜角度は、端部部材２２，２２’，２２”のスムーズな移動及び回転を生じさせる観点から、４５°以下とすることが好ましい。
【００４９】
以上説明したように、本実施形態に係る生体情報検出装置１は、長尺状をなすと共に先端部を生体内に留置することで生体情報の検出を可能にするセンサ２１と、該センサ２１の先端部を生体内に挿入するために生体に穿刺される針体１３ａとを備え、センサ２１の先端部を、生体に穿刺された針体１３ａに沿って生体内に挿入可能であるという構成になっている。
【００５０】
したがって、本実施形態に係る生体情報検出装置１によれば、センサ２１を針体１３ａとは別個に生体内に挿入できるため、センサ２１の先端部を生体内の所望の深さに留置することができる。
【００５１】
また、本実施形態に係る生体情報検出装置１は、センサ２１の基端部が、針体１３ａの延在方向とは異なる方向に移動可能であるという構成になっている。
【００５２】
したがって、本実施形態に係る生体情報検出装置１によれば、針体１３ａの延在方向とは異なる方向からセンサ２１を押し込むことができ、針体１３ａを押し込むための機構とセンサ２１を押し込むための機構とを分離して構成の簡素化を図ることができる。
【００５３】
また、本実施形態に係る生体情報検出装置１は、センサ２１の基端部が、生体の表面に沿う方向に移動可能であるという構成になっている。
【００５４】
したがって、本実施形態に係る生体情報検出装置１によれば、センサ２１を生体の表面に沿う方向から押し込むことができ、センサ２１を押し込むための機構の生体表面に対する高さを抑えることが可能となる。また、そのため、生体表面への装着時に衣服等に引っかかりにくくして装用感を向上することができる。
【００５５】
また、本実施形態に係る生体情報検出装置１は、センサ２１が、該センサ２１の先端部に配置されると共に光を発生させる測定光発生部２１ａと、該測定光発生部２１ａからの光をセンサ２１の基端部まで伝達させる導光部２１ｂとを備えるという構成になっている。
【００５６】
したがって、本実施形態に係る生体情報検出装置１によれば、光学式のセンサ２１を用いることで測定精度やセンサ２１の寿命を改善することができる。
【００５７】
また、本実施形態に係る生体情報検出装置１は、センサ２１の基端部に固定されると共に、該センサ２１の基端部からの光を少なくとも通過させる端部部材２２を備え、端部部材２２は、センサ２１の基端部から拡散する光を集光させる光調整部（コリメートレンズ２２ａ）を備えるという構成になっている。
【００５８】
したがって、本実施形態に係る生体情報検出装置１によれば、ディテクタ３０の受光部と端部部材２２との間の光軸方向の距離に対する精度要求を緩和することができる。
【００５９】
また、本実施形態に係る生体情報検出装置１は、光調整部（コリメートレンズ２２ａ）が、センサ２１の基端部から拡散する光を平行光となるように集光させるという構成になっている。
【００６０】
したがって、本実施形態に係る生体情報検出装置１によれば、ディテクタ３０の受光部と端部部材２２との間の光軸方向の距離に対する精度要求を最小化することができる。
【００６１】
また、本実施形態に係る生体情報検出装置１は、センサ２１の基端部に固定されると共に該センサ２１から得られた検出対象物質の濃度に応じた信号（測定光）を少なくとも通過させる端部部材２２と、生体の表面に貼着可能なベース部材２０と、ベース部材２０に設けられ、端部部材２２を案内する端部部材案内路２０ｆ２と、端部部材２２からの前記信号を受信する受信部（受光部）、及び該受信部で受信した前記信号に基づいて前記検出対象物質の濃度を検知する検知部を有するディテクタ３０とを備え、ディテクタ３０はベース部材２０に着脱可能であるという構成になっている。
【００６２】
したがって、本実施形態に係る生体情報検出装置１によれば、ディテクタ３０の再使用を可能にすることができる。
【００６３】
また、本実施形態に係る生体情報検出装置１は、ディテクタ３０で端部部材２２を押して移動させることで、センサ２１の先端部が針体１３ａに沿って生体内に挿入されるという構成になっている。
【００６４】
したがって、本実施形態に係る生体情報検出装置１によれば、ディテクタ３０の移動によってセンサ２１を挿入でき、しかも、センサ２１の挿入後のディテクタ３０への信号の伝達を確実なものとすることができる。特に、センサ２１を本実施形態のように光学式とした場合には、センサ２１の挿入完了時のディテクタ３０の受光部と端部部材２２との間の光軸方向の距離の精度を高め、生体情報の検出精度を高めることができる。
【００６５】
また、本実施形態に係る生体情報検出装置１は、ディテクタ３０で端部部材２２を押して移動させると、該移動に伴って端部部材２２が回転するという構成になっている。
【００６６】
したがって、本実施形態に係る生体情報検出装置１によれば、センサ２１の曲げ癖による影響を低減し、センサ２１をより直線状に生体内へ挿入し、さらに、センサ２１の先端部を生体内に所望の深さまで確実に挿入することが可能となり、より精度の高い測定が実現できる。
【００６７】
また、本実施形態に係る生体情報検出装置１は、端部部材案内路２０ｆ２が端部部材２２を収容する円筒状の内周面を備え、端部部材案内路２０ｆ２の内周面と端部部材２２の外周面とは、端部部材２２の移動に伴って該端部部材２２を回転させるねじ部（ねじ溝２２ｂ１、ねじ山２０ｆ３、ねじ溝２２ｂ１’、複数の突起２０ｆ３’、ねじ溝２０ｆ５”、ねじ山２２ｂ２”）を介して接続されているという構成になっている。
【００６８】
したがって、本実施形態に係る生体情報検出装置１によれば、ディテクタ３０の押し込み動作に連動してセンサ２１を回転させることができるため、センサ２１を回転させながら挿入するための操作を容易なものとすることができる。
【００６９】
また、前述した実施形態では、センサ２１の曲げ癖対策として、ディテクタ３０の押し込み動作に連動してセンサ２１を回転させる構成としていたが、このような構成に代えて、図９に示すように、ディテクタ３０Ａの挿入時に回転操作を加える構成としてもよい。
【００７０】
図９に示す変形例では、端部部材案内路２０ｆ２Ａは、端部部材２２を収容する円筒状の内周面を備え、端部部材２２Ａは、円筒状の外周面を備え、ディテクタ３０Ａは、端部部材案内路２０ｆ２Ａ内に挿入可能な円筒状の外周面を有する挿入筒部３０ｂＡと、該挿入筒部３０ｂＡと一体に回転可能な操作部３０ｂ１Ａとを備えている。また、端部部材案内路２０ｆ２Ａの内周面と挿入筒部３０ｂＡの外周面とは、操作部３０ｂ１Ａの回転操作に伴って挿入筒部３０ｂＡを端部部材案内路２０ｆ２Ａの奥に向けて移動させるねじ部Ｓを介して接続可能である。さらに、挿入筒部３０ｂＡの先端面と端部部材２２Ａの基端面とは、相互の回転を阻止する嵌合部Ｆを介して接続可能である。
【００７１】
さらに、このような曲げ癖対策として、センサ２１Ａを回転させるのではなく、図１０に示すように、出口側で逆方向に曲げて曲げ癖を矯正する構成としてもよい。図１０に示す変形例では、ベース部材２０Ｂには、センサ２１Ｂを案内するセンサ案内路２０ｆ４Ｂが設けられており、センサ案内路２０ｆ４Ｂは、針体１３ａＢに近づくにつれて徐々に下方に向けて湾曲しており、センサ案内路２０ｆ４Ｂの針体１３ａＢ側には、センサ２１Ｂをセンサ案内路２０ｆ４Ｂの湾曲方向と反対の方向に湾曲させるように案内する逆湾曲案内部２０ｆ６Ｂが設けられている。このような構成によれば、センサ２１Ｂを回転させるためのねじ部を設ける必要がないため、構造の簡素化が可能となる。
【００７２】
次に、図１１〜図１３を参照して、本発明の第２実施形態に係る生体情報検出装置２について詳細に例示説明する。
【００７３】
本実施形態に係る生体情報検出装置２は、ディテクタ２３０をベース部材２２０に対して移動させることで針体２１３ａが生体に穿刺されるようになっている点で、図１〜図１０を用いて説明した実施形態の場合とは構成が異なり、その他の点では同一の構成となっている。
【００７４】
具体的には、本実施形態では、図１１〜図１２に示すように、穿刺具２１０は、ハウジング２１１と、穿刺用針保持部材２１３と、穿刺用付勢部材（本例ではコイルばね）２１４と、穿刺用可動部としてのレバー部材２１６とを備えている。ハウジング２１１は、中空の直方体状をなしており、その底壁２１１ｃには、穿刺用針保持部材２１３が保持する針体２１３ａを貫通させる貫通孔が設けられている。また、ハウジング２１１の左側壁には、レバー部材２１６の揺動軸２１６ａを揺動可能に保持する貫通孔が設けられており、ハウジング２１１の底壁２１１ｃには、レバー部材２１６の下端部を貫通させるスロット２１１ｃ１が設けられている。
【００７５】
レバー部材２１６は、上下方向中間部から下端部にわたる部分が上下方向中間部で後方に折れ曲がる折れ線形状をなすレバー本体２１６ｂを備え、このレバー本体２１６ｂの上部における左側壁には、揺動軸２１６ａが突設されている。また、レバー本体２１６ｂの上下方向中間部における右側壁には、穿刺用針保持部材２１３の上部に設けられたフランジ部２１３ｂと係合可能な係合突起２１６ｃが突設されている。ハウジング２１１の天壁とフランジ部２１３ｂとの間には、穿刺用付勢部材２１４が配置されている。図１１〜図１２に示す穿刺前の状態では、穿刺用針保持部材２１３が穿刺用付勢部材２１４から付勢力を受けた状態でレバー部材２１６の係合突起２１６ｃが穿刺用針保持部材２１３のフランジ部２１３ｂを係止している。
【００７６】
この状態から、図１３（ａ）に示すようにディテクタ２３０をベース部材２２０に対して移動させると、レバー部材２１６の下端部がディテクタ２３０に押され、スロット２１１ｃ１内を前方に移動する。このレバー部材２１６の下端部の移動に伴ってレバー部材２１６がその揺動軸２１６ａを中心として揺動し、レバー部材２１６と穿刺用針保持部材２１３との係合が解除される。したがって、図１３（ｂ）に示すように、穿刺用針保持部材２１３が穿刺用付勢部材２１４から付勢力により押し下げられ、針体２１３ａが生体に穿刺される。
【００７７】
このように、本実施形態に係る生体情報検出装置２は、ディテクタ２３０をベース部材２２０に対して移動させることで針体２１３ａが生体に穿刺され、ディテクタ２３０をさらに移動させることで、端部部材２２２が押されて移動し、センサ２２１の先端部が針体２１３ａに沿って生体内に挿入されるという構成になっている。
【００７８】
したがって、本実施形態に係る生体情報検出装置２によれば、ディテクタ２３０を移動させるという一連の操作によって、針体２１３ａの穿刺、及びセンサ２２１の挿入を実現することができるため、操作の容易化が可能となる。
【００７９】
また、本実施形態に係る生体情報検出装置２は、針体２１３ａを保持する穿刺用針保持部材２１３と、穿刺用針保持部材２１３を生体の表面に向けて付勢する穿刺用付勢部材２１４と、穿刺用針保持部材２１３と係合することで該穿刺用針保持部材２１３が穿刺用付勢部材２１４から付勢力を受けた状態を保持する穿刺用可動部（レバー部材２１６）とを備え、穿刺用可動部（レバー部材２１６）は、ディテクタ２３０をベース部材２２０に対して移動させることでディテクタ２３０に押されて、穿刺用針保持部材２１３との係合が解除されるという構成になっている。
【００８０】
したがって、本実施形態に係る生体情報検出装置２によれば、簡単な構成により、操作の容易化を実現することができる。
【００８１】
次に、図１４を参照して、本発明の第３実施形態に係る生体情報検出装置３について詳細に例示説明する。
【００８２】
本実施形態に係る生体情報検出装置３は、ディテクタ３３０をベース部材３２０に対して移動させることで、穿刺具３１０がベース部材３２０から離脱可能になるよう構成されている点で、図１〜図１０を用いて説明した実施形態の場合とは構成が異なり、その他の点では同一の構成となっている。
【００８３】
具体的には、本実施形態では、図１４（ａ）に示すように、穿刺具３１０は、離脱防止用可動部としての離脱防止用レバー３１１ｅを備えている。離脱防止用レバー３１１ｅは、図１４（ｂ）に示すように、ベース部材３２０の縦壁３２０ｄに前方から係止可能に構成されている。すなわち、離脱防止用レバー３１１ｅの下端部には、後方に突出する係合突起３１１ｆが形成されている。この係合突起３１１ｆは、穿刺具３１０がベース部材３２０に取り付けられると縦壁３２０ｄに設けられた係合孔３２０ｂと係合して、穿刺具３１０がベース部材３２０から離脱するのを防止する。
【００８４】
また、離脱防止用レバー３１１ｅの下端部には、左右方向に突出する一対の延出部３１１ｅ１が設けられている。一対の延出部３１１ｅ１は、図１４（ｃ）に示すように、ディテクタ３３０をベース部材３２０に対して移動させ、センサ３２１の先端部の生体内への挿入が完了した時に、ディテクタ３３０に前方へ押されて離脱防止用レバー３１１ｅとベース部材３２０との係合を解除するようになっている。
【００８５】
このように、本実施形態に係る生体情報検出装置３は、針体３１３ａを保持すると共にベース部材３２０から離脱可能な穿刺具３１０を備え、ディテクタ３３０をベース部材３２０に対して移動させ、センサ３２１の先端部の生体内への挿入が完了した時に、穿刺具３１０がベース部材３２０から離脱可能となるという構成になっている。
【００８６】
したがって、本実施形態に係る生体情報検出装置３によれば、ディテクタ３３０を移動させるという一連の操作によって、センサ３２１の挿入、及び穿刺具３１０の離脱可能化を実現することができるため、操作の容易化が可能となる。
【００８７】
また、本実施形態に係る生体情報検出装置３は、穿刺具３１０は、ベース部材３２０と係合することで該ベース部材３２０からの穿刺具３１０の離脱を防止する離脱防止用可動部（離脱防止用レバー３１１ｅ）を備え、離脱防止用可動部（離脱防止用レバー３１１ｅ）は、センサ３２１の先端部の生体内への挿入が完了した時にディテクタ３３０に押されて、ベース部材３２０との係合が解除されるという構成になっている。
【００８８】
したがって、本実施形態に係る生体情報検出装置３によれば、簡単な構成により、操作の容易化を実現することができる。
【００８９】
なお、本実施形態の離脱防止用可動部（離脱防止用レバー３１１ｅ）の構成は、図１１〜図１３を用いて説明した第２実施形態に適用することも可能である。
【００９０】
次に、図１５〜図１６を参照して、本発明の第４実施形態に係る生体情報検出装置４について詳細に例示説明する。
【００９１】
本実施形態に係る生体情報検出装置４は、ディテクタ４３０をベース部材４２０に対して移動させることで、針体４１３ａが生体から抜去されるようになっている点で、図１〜図１０を用いて説明した実施形態の場合とは構成が異なり、その他の点では同一の構成となっている。
【００９２】
具体的には、本実施形態では、図１５に示すように、穿刺具４１０は、抜去用針保持部材４１３と、ハウジング４１１と、抜去用付勢部材（本例ではコイルばね）４１４とを備えている。抜去用針保持部材４１３は、針体４１３ａと、該針体４１３ａの基端部に連なる平面視矩形状のフランジ部４１３ｂと、該フランジ部４１３ｂの基端部に連なる円柱状の押下げ操作部４１３ｅとを備えている。ハウジング４１１は、中空の直方体状をなしており、その底壁４１１ｃには、抜去用針保持部材４１３の針体４１３ａを貫通させる貫通孔が設けられている。また、ハウジング４１１の天壁には、抜去用針保持部材４１３の押下げ操作部４１３ｅを上方への引き抜け不能に貫通させる貫通孔が設けられている。
【００９３】
さらに、ハウジング４１１の正面側の側壁には、抜去用可動部としてのレバー体４１１ｇが形成されている。レバー体４１１ｇの上下方向中間部の後面には、抜去用針保持部材４１３のフランジ部４１３ｂを係止可能な係合突起４１１ｇ１が突設されている。また、レバー体４１１ｇの下端部の後面には、ベース部材４２０に係止されることでベース部材４２０からの穿刺具４１０の離脱を防止する離脱防止用の係合突起４１１ｇ２が突設されている。さらに、レバー体４１１ｇの下端部には、左右方向に突出する一対の延出部４１１ｇ３が設けられている。また、ハウジング２１１の底壁４１１ｃとフランジ部２１３ｂとの間には、抜去用付勢部材４１４が配置されている。
【００９４】
したがって、本実施形態に係る生体情報検出装置４によれば、まず、図１６（ａ）に示すように、抜去用針保持部材４１３の押下げ操作部４１３ｅを押し下げることで、針体４１３ａを生体に穿刺することができる。そして、この穿刺状態となったとき、抜去用針保持部材４１３のフランジ部４１３ｂがレバー体４１１ｇの係合突起４１１ｇ１に係止され、抜去用付勢部材４１４による抜去用針保持部材４１３に対する上方への付勢力が保持される。
【００９５】
この状態で、ディテクタ４３０を前進させれば、センサ４２１を生体内に挿入することができる。そして、その挿入の完了時には、レバー体４１１ｇの一対の延出部４１１ｇ３がディテクタ４３０に押されて、レバー体４１１ｇが前方に揺動する。このレバー体４１１ｇの揺動により、レバー体４１１ｇの係合突起４１１ｇ１と抜去用針保持部材４１３のフランジ部４１３ｂとの係合が解除され、抜去用針保持部材４１３が抜去用付勢部材４１４の付勢力によって上方へ移動し、針体４１３ａが生体から抜去される。また、このレバー体４１１ｇの揺動により、レバー体４１１ｇの係合突起４１１ｇ２とベース部材４２０との係合も解除されるため、穿刺具４１０がベース部材４２０から離脱可能となる。
【００９６】
このように、本実施形態に係る生体情報検出装置４は、ディテクタ４３０をベース部材４２０に対して移動させ、センサ４２１の先端部の生体内への挿入が完了した時に、針体４１３ａが生体から抜去されるという構成になっている。
【００９７】
したがって、本実施形態に係る生体情報検出装置４によれば、ディテクタ４３０を移動させるという一連の操作によってセンサ４２１の挿入と針体４１３ａの抜去の双方を実現することができるため、操作の容易化が可能となる。
【００９８】
また、本実施形態に係る生体情報検出装置４は、針体４１３ａを保持する抜去用針保持部材４１３と、抜去用針保持部材４１３を生体から抜去する方向に付勢する抜去用付勢部材４１４と、抜去用針保持部材４１３と係合することで該抜去用針保持部材４１３が抜去用付勢部材４１４から付勢力を受けた状態を保持する抜去用可動部（レバー体４１１ｇ）とを備え、抜去用可動部（レバー体４１１ｇ）は、センサ４２１の先端部の生体内への挿入が完了した時にディテクタ４３０に押されて、抜去用針保持部材４１３との係合が解除されるという構成になっている。
【００９９】
したがって、本実施形態に係る生体情報検出装置４によれば、簡単な構成により、操作の容易化を実現することができる。
【０１００】
次に、図１７〜図２２を参照して、本発明の第５実施形態に係る生体情報検出装置５について詳細に例示説明する。
【０１０１】
本実施形態に係る生体情報検出装置５は、ディテクタ５３０をベース部材５２０に対して移動させることで、針体５１３ａの穿刺、針体５１３ａの抜去、及び穿刺具５１０の離脱可能化が実現されるようになっている点で、図１〜図１０を用いて説明した実施形態の場合とは構成が異なり、その他の点では同一の構成となっている。
【０１０２】
具体的には、本実施形態に係る生体情報検出装置５は、図１７に示すように、穿刺具５１０と、ベース部材５２０と、ディテクタ５３０とを備えている。また、穿刺具５１０は、図１８に示すように、ハウジング５１１と、スライダ５１７ａと、抜去用付勢部材（本例ではコイルばね）５１４と、抜去用針保持部材５１３と、レバー部材５１７ｂと、穿刺用付勢部材（本例ではコイルばね）５１８と、蓋部材５１９とを備えている。なお、スライダ５１７ａとレバー部材５１７ｂとで、穿刺用針保持部材５１７が構成されている。
【０１０３】
ハウジング５１１は、上方が開口した略直方体状をなしており、その底壁５１１ｃには、抜去用針保持部材５１３の針体５１３ａを貫通させる貫通孔が設けられている。また、ハウジング５１１の正面側の側壁には、レバー体５１１ｇが形成されている。レバー体５１１ｇの上下方向中間部の後面には、レバー部材５１７ｂのレバー体５１７ｂ１の前面に設けた係合凹部５１７ｂ２を係止可能な係合突起５１１ｇ１が突設されている。また、ハウジング５１１のレバー体５１１ｇの下端部の後面には、ベース部材５２０に係止されることでベース部材５２０からの穿刺具５１０の離脱を防止する離脱防止用の係合突起５１１ｇ２が突設されている。さらに、レバー体５１１ｇの下端部には、左右方向に突出する一対の延出部５１１ｇ３が設けられている。
【０１０４】
スライダ５１７ａは、針体５１３ａを貫通させる貫通孔が中央に設けられた円板状の底壁と、該底壁の周縁に立設された略円筒状の周壁５１７ａ１とを備えている。周壁５１７ａ１の下部外周面には、上面視略矩形状のフランジ部５１７ａ２が設けられている。なお、フランジ部５１７ａ２の４角には、スライダ５１７ａがハウジング５１１内を上下に移動する際にハウジング５１１の前後の周壁に当接して案内される前後方向案内突起５１７ａ３と、スライダ５１７ａがハウジング５１１内を上下に移動する際にハウジング５１１の左右の周壁に当接して案内される左右方向案内突起５１７ａ４と、が設けられている。
【０１０５】
スライダ５１７ａの周壁５１７ａ１には、フランジ部５１７ａ２の上方において、レバー部材５１７ｂのレバー体５１７ｂ１を揺動可能に収容する切り欠き５１７ａ５が形成されている。スライダ５１７ａの周壁５１７ａ１の上端部には、レバー部材５１７ｂの円板状をなす天壁５１７ｂ３に形成された嵌合凹部５１７ｂ４に嵌合する嵌合突起５１７ａ６が設けられている。スライダ５１７ａの底壁と抜去用針保持部材５１３の略円板状のフランジ部５１３ｂとの間には抜去用付勢部材５１４が配置され、抜去用付勢部材５１４と抜去用針保持部材５１３とを内部に収容した状態で、スライダ５１７ａにレバー部材５１７ｂが取り付けられている。この取付け時では、抜去用付勢部材５１４を圧縮変形させて針体５１３ａをスライダ５１７ａの底壁から突出させた状態で、抜去用針保持部材５１３のフランジ部５１３ｂの上端縁が、レバー部材５１７ｂのレバー体５１７ｂ１に設けられた係合突起５１７ｂ５に係止されている（図１９（ａ）参照）。
【０１０６】
図１８に示すように、蓋部材５１９は、ハウジング５１１の上部の開口を閉塞する略矩形状の天板５１９ａと、天板５１９ａから垂下する左右一対の係止アーム５１９ｂとを備えている。一対の係止アーム５１９ｂの上部外側面には、ハウジング５１１の左右の周壁に設けられた係合突起５１１ｈに上方から乗り越え係止される係合片５１９ｂ１が設けられている。また、一対の係止アーム５１９ｂの上下方向中間部の内側面には、スライダ５１７ａのフランジ部５１７ａ２の左右の端縁を係止可能な係合突起５１９ｂ２が設けられている。一対の係止アーム５１９ｂの下端部内側面には、ディテクタ５３０の前部に設けられた一対の突部５３１（図１７参照）の外側面と摺接可能な受部５１９ｂ３が設けられている。一対の突部５３１の外周面の前端部は、後方に向かって外側へ傾斜する傾斜面５３１ａになっている。
【０１０７】
穿刺用針保持部材５１７のフランジ部５１７ａ２と蓋部材５１９の天板５１９ａとの間には穿刺用付勢部材５１８が配置され、穿刺用付勢部材５１８と穿刺用針保持部材５１７とを内部に収容した状態で、ハウジング５１１に蓋部材５１９が取り付けられている。この取付け時では、穿刺用付勢部材５１８を圧縮変形させて穿刺用針保持部材５１７を上方に移動させた状態で、穿刺用針保持部材５１７のフランジ部５１７ａ２が、一対の係止アーム５１９ｂの係合突起５１９ｂ２に係止されている（図１９（ｃ）参照）。
【０１０８】
このように構成された本実施形態の生体情報検出装置５によれば、図１９に示すような穿刺前の状態でディテクタ５３０を前進させると、図１９（ｂ）に矢印で示すように、ディテクタ５３０の一対の突部５３１が前進する。そして、図１９（ｃ）に矢印で示すように、一対の突部５３１の前端に設けられた傾斜面５３１ａが一対の係止アーム５１９ｂの受部５１９ｂ３に当接して一対の係止アーム５１９ｂを押し開く。
【０１０９】
すると、一対の係止アーム５１９ｂの係合突起５１９ｂ２と穿刺用針保持部材５１７のフランジ部５１７ａ２との係合が解除され、図２０（ａ）に示すように、穿刺用針保持部材５１７が穿刺用付勢部材５１８の下方への付勢力によって押し下げられ、針体５１３ａが生体に穿刺される。また、この押下げにより、図２０（ｂ）に示すように、穿刺用針保持部材５１７のレバー体５１７ｂ１の係合凹部５１７ｂ２が、ハウジング５１１のレバー体５１１ｇの係合突起５１１ｇ１と係合する。
【０１１０】
この状態からさらにディテクタ５３０を前進させることで、端部部材５２２を押してセンサ５２１の先端部を生体内に挿入することができる。そして、センサ５２１の先端部の生体内への挿入が完了する際に、図２１（ｂ）に示すように、ディテクタ５３０の一対の突部５３１の前端部が、ハウジング５１１のレバー体５１１ｇの一対の延出部５１１ｇ３に当接し、レバー体５１１ｇを前方へ揺動させる。このレバー体５１１ｇの揺動により、図２１（ｃ）に矢印で示すように、レバー体５１１ｇと係合している穿刺用針保持部材５１７のレバー体５１７ｂ１も前方へ揺動する。その結果、抜去用針保持部材５１３のフランジ部５１３ｂとレバー体５１７ｂ１の係合突起５１７ｂ５との係合が解除され、図２１（ａ）に示すように、抜去用針保持部材５１３が抜去用付勢部材５１４の付勢力によって上方へ移動し、針体５１３ａが生体から抜去される。
【０１１１】
またこのとき、ハウジング５１１のレバー体５１１ｇの離脱防止用の係合突起５１１ｇ２とベース部材５２０との係合が解除されるため、図２２に示すように、穿刺具５１０をベース部材５２０から離脱させることができる。また、穿刺具５１０の離脱時には、針体５１３ａが穿刺用針保持部材５１７の内部に引き込まれているため、使用者の針体５１３ａへの接触を防止することができる。
【０１１２】
このように、本実施形態に係る生体情報検出装置５は、針体５１３ａを保持すると共にベース部材５２０から離脱可能な穿刺具５１０を備え、ディテクタ５３０をベース部材５２０に対して移動させることで針体５１３ａが生体に穿刺され、ディテクタ５３０をさらに移動させることで、端部部材５２２が押されて移動し、センサ５２１の先端部が針体５１３ａに沿って生体内に挿入され、センサ５２１の先端部の生体内への挿入が完了した時に、針体５１３ａが生体から抜去されると共に穿刺具５１０がベース部材５２０から離脱可能になるという構成になっている。
【０１１３】
したがって、本実施形態に係る生体情報検出装置５によれば、ディテクタ５３０を移動させるという一連の操作によって、針体５１３ａの穿刺、センサ５２１の挿入、針体５１３ａの抜去、及び穿刺具５１０の離脱可能化を実現することができるため、操作を格段に容易化することができる。
【０１１４】
また、本実施形態に係る生体情報検出装置５は、針体５１３ａを保持する穿刺用針保持部材５１７と、穿刺用針保持部材５１７を生体の表面に向けて付勢する穿刺用付勢部材５１８と、穿刺用針保持部材５１７と係合することで該穿刺用針保持部材５１７が穿刺用付勢部材５１８から付勢力を受けた状態を保持する穿刺用可動部（係止アーム５１９ｂ）とを備え、穿刺用可動部（係止アーム５１９ｂ）は、ディテクタ５３０をベース部材５２０に対して移動させることでディテクタ５３０に押されて、穿刺用針保持部材５１７との係合が解除されるという構成になっている。
【０１１５】
また、本実施形態に係る生体情報検出装置５は、針体５１３ａを保持する抜去用針保持部材５１３と、抜去用針保持部材５１３を生体から抜去する方向に付勢する抜去用付勢部材５１４と、抜去用針保持部材５１３と係合することで該抜去用針保持部材５１３が抜去用付勢部材５１４から付勢力を受けた状態を保持する抜去用可動部（レバー体５１１ｇ及びレバー体５１７ｂ１）とを備え、抜去用可動部（レバー体５１１ｇ及びレバー体５１７ｂ１）は、センサ５２１の先端部の生体内への挿入が完了した時にディテクタ５３０に押されて、抜去用針保持部材５１３との係合が解除されるという構成になっている。
【０１１６】
さらに、本実施形態に係る生体情報検出装置５は、穿刺具５１０が、ベース部材５２０と係合することで該ベース部材５２０からの穿刺具５１０の離脱を防止する離脱防止用可動部（レバー体５１１ｇ）を備え、離脱防止用可動部（レバー体５１１ｇ）は、センサ５２１の先端部の生体内への挿入が完了した時にディテクタ５３０に押されて、ベース部材５２０との係合が解除されるという構成になっている。
【０１１７】
したがって、本実施形態に係る生体情報検出装置５によれば、簡単な構成により、操作の格段の容易化を実現することができる。
【０１１８】
前述したところは、本発明の一実施形態を示したにすぎず、特許請求の範囲において種々の変更を加えることができる。例えば、前述した実施形態では光学式のセンサを用いるものとして説明したが、必ずしも光学式に限るものではなく、例えば、生体内に先端部を留置したセンサによって得られる、検出対象物質の濃度に応じた電気信号を、センサの基端部あるいは端部部材に設けた電極を通じてディテクタの受信部に伝達することによって生体情報を検出するセンサを用いることも可能である。
【符号の説明】
【０１１９】
１〜５  生体情報検出装置
１０  穿刺具
１１  ハウジング
１１ａ  上部開口
１１ｂ  嵌合凸部
１１ｃ  底壁
１１ｄ  外周壁
１１ｄ１  係合突起
１１ｄ２  傾斜面
１１ｅ  離脱防止用レバー
１１ｆ  係合突起
１２  ボタン部材
１２ａ  ボタン
１２ｂ  下部開口
１２ｃ  内周壁
１２ｄ  弾性アーム
１２ｅ  係合突起
１２ｆ１  下側係合突起
１２ｆ２  上側係合突起
１３  針部材
１３ａ，１３ａＢ  針体
１３ｂ  フランジ部
１３ｃ  シャフト
１３ｄ  筒壁
１４  付勢部材
１５  カバー
１５ａ  筒部
１５ｂ  係合突起
２０，２０Ｂ  ベース部材
２０ａ  嵌合凹部
２０ｂ  係合孔
２０ｃ  底板
２０ｄ  縦壁
２０ｅ  係合片
２０ｅ１  係合突起
２０ｆ  ベース
２０ｆ１  貫通孔
２０ｆ２，２０ｆ２’，２０ｆ２”，２０ｆ２Ａ  端部部材案内路
２０ｆ３  ねじ山（ねじ部）
２０ｆ３’  突起（ねじ部）
２０ｆ４，２０ｆ４Ｂ  センサ案内路
２０ｆ５”  ねじ溝（ねじ部）
２０ｆ６Ｂ  逆湾曲案内部
２１，２１Ａ，２１Ｂ  センサ
２１ａ  測定光発生部
２１ｂ  導光部
２２，２２’，２２Ａ  端部部材
２２ａ  コリメートレンズ（光調整部）
２２ｂ  内筒
２２ｂ１，２２ｂ１’  ねじ溝（ねじ部）
２２ｂ２”  ねじ山（ねじ部）
３０，３０Ａ  ディテクタ
３０ａ  係合孔
３０ｂ，３０ｂＡ  挿入筒部
３０ｂ１Ａ  操作部
２１０  穿刺具
２１１  ハウジング
２１１ｃ  底壁
２１１ｃ１  スロット
２１３  穿刺用針保持部材
２１３ａ  針体
２１３ｂ  フランジ部
２１４  穿刺用付勢部材
２１６  レバー部材（穿刺用可動部）
２１６ａ  揺動軸
２１６ｂ  レバー本体
２１６ｃ  係合突起
２２０  ベース部材
２２１  センサ
２２２  端部部材
２３０  ディテクタ
３１０  穿刺具
３１１ｅ  離脱防止用レバー（離脱防止用可動部）
３１１ｅ１  延出部
３１１ｆ  係合突起
３１３ａ  針体
３２０  ベース部材
３２０ｂ  係合孔
３２０ｄ  縦壁
３２１  センサ
３３０  ディテクタ
４１０  穿刺具
４１１  ハウジング
４１１ｃ  底壁
４１１ｇ  レバー体（抜去用可動部）
４１１ｇ１  係合突起
４１１ｇ２  係合突起
４１１ｇ３  延出部
４１３  抜去用針保持部材
４１３ａ  針体
４１３ｂ  フランジ部
４１３ｅ  押下げ操作部
４１４  抜去用付勢部材
４２０  ベース部材
４２１  センサ
４３０  ディテクタ
５１０  穿刺具
５１１  ハウジング
５１１ｃ  底壁
５１１ｇ  レバー体（抜去用可動部、離脱防止用可動部）
５１１ｇ１  係合突起
５１１ｇ２  係合突起
５１１ｇ３  延出部
５１１ｈ  係合突起
５１３  抜去用針保持部材
５１３ａ  針体
５１３ｂ  フランジ部
５１４  抜去用付勢部材
５１７  穿刺用針保持部材
５１７ａ  スライダ
５１７ａ１  周壁
５１７ａ２  フランジ部
５１７ａ３  前後方向案内突起
５１７ａ４  左右方向案内突起
５１７ａ５  切り欠き
５１７ａ６  嵌合突起
５１７ｂ  レバー部材
５１７ｂ１  レバー体（抜去用可動部）
５１７ｂ２  係合凹部
５１７ｂ３  天壁
５１７ｂ４  嵌合凹部
５１７ｂ５  係合突起
５１８  穿刺用付勢部材
５１９  蓋部材
５１９ａ  天板
５１９ｂ  係止アーム（穿刺用可動部）
５１９ｂ１  係合片
５１９ｂ２  係合突起
５１９ｂ３  受部
５２０  ベース部材
５２１  センサ
５２２  端部部材
５３０  ディテクタ
５３１  突部
５３１ａ  傾斜面
Ｓ  ねじ部
Ｆ  嵌合部
【図１】
2017130559.tif 000003
【図２】
2017130559.tif 000004
【図３】
2017130559.tif 000005
【図４】
2017130559.tif 000006
【図５】
2017130559.tif 000007
【図６】
2017130559.tif 000008
【図７】
2017130559.tif 000009
【図８】
2017130559.tif 000010
【図９】
2017130559.tif 000011
【図１０】
2017130559.tif 000012
【図１１】
2017130559.tif 000013
【図１２】
2017130559.tif 000014
【図１３】
2017130559.tif 000015
【図１４】
2017130559.tif 000016
【図１５】
2017130559.tif 000017
【図１６】
2017130559.tif 000018
【図１７】
2017130559.tif 000019
【図１８】
2017130559.tif 000020
【図１９】
2017130559.tif 000021
【図２０】
2017130559.tif 000022
【図２１】
2017130559.tif 000023
【図２２】
2017130559.tif 000024
【国際調査報告】
2017130559.tif 000025
2017130559.tif 000026
2017130559.tif 000027
2017130559.tif 000028